(57)【要約】【課題】常時には保温用の毛布として用い、非常時には両手の自由を確保しつつ人体を保護できるようにした難燃毛布を提供する。【解決手段】難燃毛布１は、難燃性レーヨンとアラミド繊維を混紡してなる矩形状の毛布本体２と、毛布本体２の周縁部に沿って縫い付けられた縁取り部材３とを有する。難燃毛布１は、毛布本体２の長手方向中央部ＣＬから所定長離れ且つ少なくとも一方の長手方向周縁部近傍に設けられたボタン４と、長手方向中央部ＣＬを境にボタン４と対称となる位置に設けられたスリット５とを有し、ボタン４とスリット５とを係合させることで、難燃毛布１をマント状に変形可能とした。【選択図】図１
0003178557.tif 000002
【実用新案登録請求の範囲】
【請求項１】
難燃性レーヨンとアラミド繊維を混紡してなる矩形状の毛布本体と、該毛布本体の周縁部に沿って縫い付けられた縁取り部材とを有する難燃毛布であって、
前記毛布本体の長手方向中央部から所定長離れ且つ少なくとも一方の長手方向周縁部近傍に設けられた係止手段と、前記長手方向中央部を境に前記係止手段と対称となる位置に設けられた被係止手段とを有し、
前記係止手段と前記被係止手段とを係合させることで、前記難燃毛布をマント状に変形可能としたことを特徴とする難燃毛布。
【請求項２】
前記係止手段はボタンであり、前記被係止手段はスリットであることを特徴とする請求項１に記載の難燃毛布。
【請求項３】
前記係止手段および前記被係止手段は共に紐であることを特徴とする請求項１に記載の難燃毛布。
【請求項４】
前記係止手段は面ファスナのフックであり、前記被係止手段は面ファスナのループであることを特徴とする請求項１に記載の難燃毛布。
【請求項５】
前記縁取り部材の表面は、光反射面または発光面であることを特徴とする請求項１〜４のいずれか１項に記載の難燃毛布。
【考案の詳細な説明】
【技術分野】
【０００１】
本発明は、難燃毛布に関し、より詳細には、火災等の非常時にはマントとしても使用できる難燃毛布に関する。
【背景技術】
【０００２】
従来、一般家庭をはじめ、ホテルや旅館などの宿泊施設においては、人体を保温するための毛布が広く使用されており、この毛布は人間の生活に必要不可欠なアイテムになっている。そして、旅客機内でもサービスの一環として毛布を貸し出すサービスが提供されているが、このような場所で使用される毛布は、狭い空間での使い勝手を考慮して、一般的な毛布と比べて、コンパクトなサイズ（例えば、１３５０ｍｍ×８００ｍｍ）になっている。このため、乗客はひざ掛けとしても利用することができる。
【０００３】
また、旅客機で使用される毛布は、難燃規制がある関係で、例えば、アクリル系繊維（モダクリル）や、難燃ポリエステル、ウール等を素材とした難燃毛布が多く使用されている（例えば、特許文献１を参照）。この特許文献１に記載の難燃毛布は、アクリル系繊維を少なくとも６０重量％含有し、目付が２００〜６００ｇ／ｍ２の範囲で丸編物であって、且つ、フリース調であることを特徴としている。
【先行技術文献】
【特許文献】
【０００４】
【特許文献１】特開２００３−１０５６５６号公報
【考案の概要】
【考案が解決しようとする課題】
【０００５】
上記のような難燃毛布は、かさばらないコンパクトなサイズであるため、旅客機内のみならず、オフィスや一般家庭でも日常的に使用することができる。特に、女性がオフィス等においてひざ掛けとして利用するのに適している。また、この難燃毛布は燃え難い素材で出来ているため、火災等の災害が発生した時には、毛布を人体に巻き付けるだけで、人体を火から守ることができ、手軽な防災用品として利用することも可能である。
【０００６】
しかしながら、従来の難燃毛布は、毛布を人体に巻き付けた状態で固定する手段がないため、避難の際に片方の手で毛布端を押さえるなどする必要があった。そして、このような状態では、両手が自由にならないため、適切な避難行動を取ることが難しいという問題がある。
【０００７】
本考案は、上述のような実情に鑑みてなされたもので、常時には保温用の毛布として用い、非常時には両手の自由を確保しつつ人体を保護できるようにした難燃毛布を提供することを目的とする。
【課題を解決するための手段】
【０００８】
上記課題を解決するために、本考案の第１の技術手段は、難燃性レーヨンとアラミド繊維を混紡してなる矩形状の毛布本体と、該毛布本体の周縁部に沿って縫い付けられた縁取り部材とを有する難燃毛布であって、前記毛布本体の長手方向中央部から所定長離れ且つ少なくとも一方の長手方向周縁部近傍に設けられた係止手段と、前記長手方向中央部を境に前記係止手段と対称となる位置に設けられた被係止手段とを有し、前記係止手段と前記被係止手段とを係合させることで、前記難燃毛布をマント状に変形可能としたことを特徴としたものである。
【０００９】
第２の技術手段は、第１の技術手段において、前記係止手段はボタンであり、前記被係止手段はスリットであることを特徴としたものである。
【００１０】
第３の技術手段は、第１の技術手段において、前記係止手段および前記被係止手段は共に紐であることを特徴としたものである。
【００１１】
第４の技術手段は、第１の技術手段において、前記係止手段は面ファスナのフックであり、前記被係止手段は面ファスナのループであることを特徴としたものである。
【００１２】
第５の技術手段は、第１〜第４のいずれか１の技術手段において、前記縁取り部材の表面は、光反射面または発光面であることを特徴としたものである。
【考案の効果】
【００１３】
本考案によれば、毛布本体が難燃性素材で形成されると共に、マント状にして人体に固定できるようにしたため、常時には保温用の毛布として用い、非常時には両手の自由を確保しつつ人体を保護することができる。
【図面の簡単な説明】
【００１４】
【図１】本考案に係る難燃毛布の一例を示す図である。
【図２】ボタンの周辺部分を拡大した図である。
【図３】難燃毛布をマント状に変形させた状態の一例を示す図である。
【図４】係止手段と被係止手段の他の例を示す図である。
【図５】係止手段と被係止手段の更に他の例を示す図である。
【考案を実施するための形態】
【００１５】
以下、添付図面を参照しながら、本考案の難燃毛布に係る好適な実施の形態について説明する。
【００１６】
図１は、本考案に係る難燃毛布の一例を示す図で、図中、１は難燃毛布、２は毛布本体、３は縁取り部材、４はボタン、５はスリットを示す。図２は、ボタン４の周辺部分を拡大した図である。難燃毛布１は、難燃性レーヨンとアラミド繊維を混紡してなる矩形状の毛布本体２と、毛布本体２の周縁部に沿って縫い付けられた縁取り部材３とを有する。
【００１７】
上記のアラミド繊維としては、例えば、帝人株式会社製のコーネックス（登録商標）が好適である。このコーネックス（登録商標）は、ＩＳＯ１５０２５燃焼性試験に合格し、消防服等にも使用されている素材であり、防護性に加え、耐熱性、防炎性、遮熱性に優れたものである。アラミド繊維は、芳香族ポリアミド系の繊維であり、芳香族ポリアミドには官能基がベンゼン核のパラの位置に結合しているパラ型と、メタの位置に結合しているメタ型とがある。上記のコーネックス（登録商標）は、メタ型であり、ポリエステル並みの繊維性能（強伸度、弾性率、比重、風合い、色など）をもち、空気中で溶融することなく、４００℃ではじめて分解、炭化を開始する耐熱性、さらに、限境酸素指数（ＬＯＩ値）２９以上の防炎性、難燃性を合わせ持っている。
【００１８】
毛布本体２は、上記のコーネックス（登録商標）と難燃性レーヨンとを混紡することで、毛布としての風合い、保温性などを犠牲にすることなく、優れた難燃性を実現している。また、毛布本体２の周縁部には、ほつれ防止、端部保護のために、例えば、ポリエステル等のテープ状の縁取り部材３が縫い付けられている。なお、縁取り部材３の表面は、光反射面または発光面としてもよい。例えば、アルミ箔等の反射材を貼り付けることで光反射面を形成するようにしてもよい。あるいは、発光性塗料を塗布することで発光面を形成するようにしてもよい。これにより、夜間等に縁取り部材３の表面が反射あるいは発光するため、夜間等に避難する際の危険防止に役立つ。
【００１９】
図１に示すように、難燃毛布１のサイズは、例えば、長さ１３５０ｍｍ×幅８００ｍｍとしており、一般的な毛布（例えば、長さ２０００ｍｍ×幅１４００ｍｍ）と比べて、コンパクトなサイズになっているため、ひざ掛けとしても利用することができる。
【００２０】
また、難燃毛布１は、毛布本体２の長手方向中央部ＣＬから所定長離れ且つ少なくとも一方の長手方向周縁部近傍に設けられた係止手段と、長手方向中央部ＣＬを境に係止手段と対称となる位置に設けられた被係止手段とを有する。図１の例では、係止手段はボタン４に相当し、被係止手段はスリット５に相当する。本例の場合、毛布本体２の一方の長辺部に、２つのボタン４が縫い付けられ、長手方向中央部ＣＬを境に２つのボタン４と対称となる位置に２つのスリット５が形成されている。勿論、ボタン４およびスリット５を毛布本体２の両方の長辺部に設けるようにしてもよい。
【００２１】
２つのボタン４の配置例を図２に示す。２つのボタン４の縫い付け位置は、長手方向中央部ＣＬから第１ボタン（図中右側）の中心までの長さを３８５ｍｍ、第１ボタンの中心から第２ボタン（図中左側）の中心までの長さを１２０ｍｍ、第２ボタンの中心から長手方向毛布端部までの長さを１７０ｍｍ、短手方向毛布端部からボタンの中心までの長さを２２ｍｍとしている。なお、第１ボタン、第２ボタン共に直径を２１ｍｍとしている。また、２つのスリット５は、長手方向中央部ＣＬを境に２つのボタン４と対称となる位置に形成されており、ボタン４を係脱可能な長さのスリットとされる。
【００２２】
上記において、ボタン４、スリット５を複数個ずつ設けるようにしたため、難燃毛布１をマント状に変形させたときに、体の大きさに合わせて、固定箇所を適宜調整することができる。すなわち、１サイズの難燃毛布１により、男性、女性、子供、高齢者など、性別や年齢を問わず、幅広く対応することが可能となる。
【００２３】
図３は、難燃毛布１をマント状に変形させた状態の一例を示す図である。図３に示すように、難燃毛布１を避難者の肩の後方から前方に向かって掛け、ボタン４とスリット５とを係合させることで、難燃毛布１をマント状に変形させる。これにより、火災等の災害時に避難者の肩から下の部分を火から保護することができる。また、この際、難燃毛布１は避難者にしっかり固定されているため、避難者は両手を自由に動かすことができ、適切な避難行動を取ることができる。なお、頭部については防災頭巾を被るなどの対応を取ることがより望ましい。
【００２４】
図４は、係止手段と被係止手段の他の例を示す図で、図中、６ａ，６ｂは紐を示す。このように、係止手段および被係止手段を共に紐部材で構成してもよい。この紐６ａと紐６ｂとを係合させる（結ぶ）ことにより、ボタン，スリットの場合と同様に、難燃毛布１をマント状に変形させることができる。
【００２５】
図５は、係止手段と被係止手段の更に他の例を示す図で、図中、７ａは面ファスナのフック，７ｂは面ファスナのループを示す。このように、係止手段を面ファスナのフック７ａ、被係止手段を面ファスナのループ７ｂで構成してもよい。面ファスナは、ベルクロテープ（登録商標）あるいはマジックテープ（登録商標）とも呼ばれ、面で着脱可能なファスナである。この面ファスナのフック７ａとループ７ｂとを係合させることにより、ボタン，スリットの場合と同様に、難燃毛布１をマント状に変形させることができる。
【符号の説明】
【００２６】
１…難燃毛布、２…毛布本体、３…縁取り部材、４…ボタン、５…スリット、６ａ，６ｂ…紐、７ａ…面ファスナのフック、７ｂ…面ファスナのループ。
【図１】
0003178557.tif 000003
【図２】
0003178557.tif 000004
【図３】
0003178557.tif 000005
【図４】
0003178557.tif 000006
【図５】
0003178557.tif 000007